(57)【要約】【課題】  この発明は、低消費電力化が図れる自発光型ディスプレイの信号処理回路を提供することを目的とする。【解決手段】  ＲＧＢ入力信号をＲＧＢＷ信号に変換することにより、第１のＲＧＢ信号およびＷ信号を求める手段、ＲＧＢ信号によってＸの色度および最大輝度を実現するためのＲＧＢ信号値に基づいて、第１のＲＧＢ信号のうちからＸ信号に変換され得るＲＧＢ信号成分であって、第１のＲＧＢ信号からＸ信号に変換され得るＲＧＢ信号成分を減算した場合に、ＲＧＢの減算結果のうちの少なくとも１つが０となるようなＲＧＢ信号成分を算出する手段、第１のＲＧＢ信号から上記ＲＧＢ信号成分を減算することにより、第２のＲＧＢ信号を算出する手段、上記ＲＧＢ信号成分に相当するＸ信号を算出する手段を備えている。【選択図】  図１
2006163069.tif 000002
【特許請求の範囲】
【請求項１】
ＸをＲＧＢＷ以外の任意の色として、１画素がＲＧＢＷＸの５つの単位画素から構成されており、ＲＧＢＸ単位画素には色フィルタが設けられ、Ｗ単位画素には色フィルタが設けられていない自発光型ディスプレイの信号処理回路であって、ＲＧＢ入力信号が全て同じ値であるときに、ＲＧＢのみによって目標の白を実現できるようにＲＧＢの白側リファレンス輝度が設定されているとともに、ＲＧＢ入力信号の全てが最大値であるときに目標の白を実現するためのＲＧＢＷ信号値と、ＲＧＢ信号によってＸの色度および最大輝度を実現するためのＲＧＢ信号値とが設定されている自発光型ディスプレイの信号処理回路において、
ＲＧＢ入力信号をＲＧＢＷＸ信号に変換するＲＧＢ−ＲＧＢＷＸ信号変換手段を備えており、
ＲＧＢ−ＲＧＢＷＸ信号変換手段は、
ＲＧＢ入力信号のうちの最小値を、ＲＧＢの各入力信号から減算する第１手段、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２手段、
上記第２手段によって算出されたＲＧＢＷ信号に対して、第１手段によって算出されたＲＧＢ毎の減算結果を対応する信号に加算することにより、第１のＲ信号、第１のＧ信号、第１のＢ信号およびＷ信号を求める第３手段、
ＲＧＢ信号によってＸの色度および最大輝度を実現するためのＲＧＢ信号値に基づいて、第３手段によって得られた第１のＲ信号、第１のＧ信号および第１のＢ信号のうちからＸ信号に変換され得るＲＧＢ信号成分であって、第１のＲ信号、第１のＧ信号および第１のＢ信号からＸ信号に変換され得るＲＧＢ信号成分を減算した場合に、ＲＧＢの減算結果のうちの少なくとも１つが０となるようなＲＧＢ信号成分を算出する第４手段、
第１のＲ信号、第１のＧ信号および第１のＢ信号から第１手段によって算出されたＲＧＢ信号成分を減算することにより、第２のＲ信号、第２のＧ信号および第２のＢ信号を算出する第５手段、
第４手段によって算出されたＲＧＢ信号成分に相当するＸ信号を算出する第６手段、ならびに
第３手段によって得られたＷ信号、第５手段によって得られた第２のＲ信号、第２のＧ信号および第２のＢ信号ならびに第６手段によって得られたＸ信号を、上記ＲＧＢ入力信号に対応するＲＧＢＷＸ信号として出力する第７手段、
を備えていることを特徴とする自発光型ディスプレイの信号処理回路。
【請求項２】
ＸをＲＧＢＷ以外の任意の色として、１画素がＲＧＢＷＸの５つの単位画素から構成されており、ＲＧＢＸ単位画素には色フィルタが設けられ、Ｗ単位画素には色フィルタが設けられていない自発光型ディスプレイの信号処理回路において、
予めガンマ補正がかけられているＲＧＢ入力信号に対して逆ガンマ補正を行うことにより、ＲＧＢ入力信号をガンマ補正前のＲＧＢ信号に変換する逆ガンマ補正手段、逆ガンマ補正手段によって得られたＲＧＢ信号をＲＧＢ入力信号とし、ＲＧＢ入力信号をＲＧＢＷＸ信号に変換するＲＧＢ−ＲＧＢＷＸ信号変換手段、およびＲＧＢ−ＲＧＢＷＸ信号変換手段によって得られたＲＧＢＷＸ信号に対して、自発光型ディスプレイに対応したガンマ補正を行うガンマ補正手段を備えており、
逆ガンマ補正手段によって得られたＲＧＢ信号が全て同じ値であるときに、ＲＧＢのみによって目標の白を実現できるようにＲＧＢの白側リファレンス輝度が設定されているとともに、逆ガンマ補正手段によって得られたＲＧＢ信号の全てが最大値であるときに目標の白を実現するためのＲＧＢＷ信号値と、逆ガンマ補正手段によって得られたＲＧＢ信号によってＸの色度および最大輝度を実現するためのＲＧＢ信号値とが設定されており、
ＲＧＢ−ＲＧＢＷＸ信号変換手段は、
ＲＧＢ入力信号のうちの最小値を、ＲＧＢの各入力信号から減算する第１手段、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２手段、
上記第２手段によって算出されたＲＧＢＷ信号に対して、第１手段によって算出されたＲＧＢ毎の減算結果を対応する信号に加算することにより、第１のＲ信号、第１のＧ信号、第１のＢ信号およびＷ信号を求める第３手段、
ＲＧＢ信号によってＸの色度および最大輝度を実現するためのＲＧＢ信号値に基づいて、第３手段によって得られた第１のＲ信号、第１のＧ信号および第１のＢ信号のうちからＸ信号に変換され得るＲＧＢ信号成分であって、第１のＲ信号、第１のＧ信号および第１のＢ信号からＸ信号に変換され得るＲＧＢ信号成分を減算した場合に、ＲＧＢの減算結果のうちの少なくとも１つが０となるようなＲＧＢ信号成分を算出する第４手段、
第１のＲ信号、第１のＧ信号および第１のＢ信号から第１手段によって算出されたＲＧＢ信号成分を減算することにより、第２のＲ信号、第２のＧ信号および第２のＢ信号を算出する第５手段、
第４手段によって算出されたＲＧＢ信号成分に相当するＸ信号を算出する第６手段、ならびに
第３手段によって得られたＷ信号、第５手段によって得られた第２のＲ信号、第２のＧ信号および第２のＢ信号ならびに第６手段によって得られたＸ信号を、上記ＲＧＢ入力信号に対応するＲＧＢＷＸ信号として出力する第７手段、
を備えていることを特徴とする自発光型ディスプレイの信号処理回路。
【請求項３】
ＸをＲＧＢＷ以外の任意の色として、１画素がＲＧＢＷＸの５つの単位画素から構成されており、ＲＧＢＸ単位画素には色フィルタが設けられ、Ｗ単位画素には色フィルタが設けられていない自発光型ディスプレイの信号処理方法であって、ＲＧＢ入力信号が全て同じ値であるときに、ＲＧＢのみによって目標の白を実現できるようにＲＧＢの白側リファレンス輝度が設定されているとともに、ＲＧＢ入力信号の全てが最大値であるときに目標の白を実現するためのＲＧＢＷ信号値と、ＲＧＢ信号によってＸの色度および最大輝度を実現するためのＲＧＢ信号値とが設定されている自発光型ディスプレイの信号処理方法において、
ＲＧＢ入力信号をＲＧＢＷＸ信号に変換するＲＧＢ−ＲＧＢＷＸ信号変換ステップを備えており、
ＲＧＢ−ＲＧＢＷＸ信号変換ステップは、
ＲＧＢ入力信号のうちの最小値を、ＲＧＢの各入力信号から減算する第１ステップ、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２ステップ、
上記第２ステップによって算出されたＲＧＢＷ信号に対して、第１ステップによって算出されたＲＧＢ毎の減算結果を対応する信号に加算することにより、第１のＲ信号、第１のＧ信号、第１のＢ信号およびＷ信号を求める第３ステップ、
ＲＧＢ信号によってＸの色度および最大輝度を実現するためのＲＧＢ信号値に基づいて、第３ステップによって得られた第１のＲ信号、第１のＧ信号および第１のＢ信号のうちからＸ信号に変換され得るＲＧＢ信号成分であって、第１のＲ信号、第１のＧ信号および第１のＢ信号からＸ信号に変換され得るＲＧＢ信号成分を減算した場合に、ＲＧＢの減算結果のうちの少なくとも１つが０となるようなＲＧＢ信号成分を算出する第４ステップ、  第１のＲ信号、第１のＧ信号および第１のＢ信号から第１ステップによって算出されたＲＧＢ信号成分を減算することにより、第２のＲ信号、第２のＧ信号および第２のＢ信号を算出する第５ステップ、
第４ステップによって算出されたＲＧＢ信号成分に相当するＸ信号を算出する第６ステップ、ならびに
第３ステップによって得られたＷ信号、第５ステップによって得られた第２のＲ信号、第２のＧ信号および第２のＢ信号ならびに第６ステップによって得られたＸ信号を、上記ＲＧＢ入力信号に対応するＲＧＢＷＸ信号として出力する第７ステップ、
を備えていることを特徴とする自発光型ディスプレイの信号処理方法。
【請求項４】
ＸをＲＧＢＷ以外の任意の色として、１画素がＲＧＢＷＸの５つの単位画素から構成されており、ＲＧＢＸ単位画素には色フィルタが設けられ、Ｗ単位画素には色フィルタが設けられていない自発光型ディスプレイの信号処理方法において、
予めガンマ補正がかけられているＲＧＢ入力信号に対して逆ガンマ補正を行うことにより、ＲＧＢ入力信号をガンマ補正前のＲＧＢ信号に変換する逆ガンマ補正ステップ、逆ガンマ補正ステップによって得られたＲＧＢ信号をＲＧＢ入力信号とし、ＲＧＢ入力信号をＲＧＢＷＸ信号に変換するＲＧＢ−ＲＧＢＷＸ信号変換ステップ、およびＲＧＢ−ＲＧＢＷＸ信号変換ステップによって得られたＲＧＢＷＸ信号に対して、自発光型ディスプレイに対応したガンマ補正を行うガンマ補正ステップを備えており、
逆ガンマ補正ステップによって得られたＲＧＢ信号が全て同じ値であるときに、ＲＧＢのみによって目標の白を実現できるようにＲＧＢの白側リファレンス輝度が設定されているとともに、逆ガンマ補正ステップによって得られたＲＧＢ信号の全てが最大値であるときに目標の白を実現するためのＲＧＢＷ信号値と、逆ガンマ補正ステップによって得られたＲＧＢ信号によってＸの色度および最大輝度を実現するためのＲＧＢ信号値とが設定されており、
ＲＧＢ−ＲＧＢＷＸ信号変換ステップは、
ＲＧＢ入力信号のうちの最小値を、ＲＧＢの各入力信号から減算する第１ステップ、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２ステップ、
上記第２ステップによって算出されたＲＧＢＷ信号に対して、第１ステップによって算出されたＲＧＢ毎の減算結果を対応する信号に加算することにより、第１のＲ信号、第１のＧ信号、第１のＢ信号およびＷ信号を求める第３ステップ、
ＲＧＢ信号によってＸの色度および最大輝度を実現するためのＲＧＢ信号値に基づいて、第３ステップによって得られた第１のＲ信号、第１のＧ信号および第１のＢ信号のうちからＸ信号に変換され得るＲＧＢ信号成分であって、第１のＲ信号、第１のＧ信号および第１のＢ信号からＸ信号に変換され得るＲＧＢ信号成分を減算した場合に、ＲＧＢの減算結果のうちの少なくとも１つが０となるようなＲＧＢ信号成分を算出する第４ステップ、  第１のＲ信号、第１のＧ信号および第１のＢ信号から第１ステップによって算出されたＲＧＢ信号成分を減算することにより、第２のＲ信号、第２のＧ信号および第２のＢ信号を算出する第５ステップ、
第４ステップによって算出されたＲＧＢ信号成分に相当するＸ信号を算出する第６ステップ、ならびに
第３ステップによって得られたＷ信号、第５ステップによって得られた第２のＲ信号、第２のＧ信号および第２のＢ信号ならびに第６ステップによって得られたＸ信号を、上記ＲＧＢ入力信号に対応するＲＧＢＷＸ信号として出力する第７ステップ、
を備えていることを特徴とする自発光型ディスプレイの信号処理方法。
【発明の詳細な説明】
【技術分野】
【０００１】
この発明は、自発光型ディスプレイの信号処理回路および信号処理方法に関する。
【背景技術】
【０００２】
有機ＥＬディスプレイ等の自発光型ディスプレイは、薄型、軽量、低消費電力などの特徴を有しており、用途が広がっている。ただし、携帯電話、デジタルスチルカメラなどの用途においては、更なる低消費電力化への要求が高い。
【０００３】
白発光材料にカラーフィルタが張りつけられている有機ＥＬディスプレイのような自発光型ディスプレイの場合、カラーフィルタを光が通過する際に光の一部がカラーフィルタに吸収されるため、光利用効率が悪くなっている。この光利用効率の低さが消費電力の低下を妨げている。
【特許文献１】特開平１１−２９５７１７号公報
【発明の開示】
【発明が解決しようとする課題】
【０００４】
この発明は、ＸをＲＧＢ以外の任意の色として、１画素がＲＧＢＷＸの５つの単位画素から構成されている自発光型ディスプレイの信号処理回路および信号処理方法であって、ＲＧＢ信号をＲＧＢＷＸ信号に変換することができ、光利用効率の向上化が図り得る自発光型ディスプレイの信号処理回路および信号処理方法を提供することを目的とする。
【課題を解決するための手段】
【０００５】
請求項１に記載の発明は、ＸをＲＧＢＷ以外の任意の色として、１画素がＲＧＢＷＸの５つの単位画素から構成されており、ＲＧＢＸ単位画素には色フィルタが設けられ、Ｗ単位画素には色フィルタが設けられていない自発光型ディスプレイの信号処理回路であって、ＲＧＢ入力信号が全て同じ値であるときに、ＲＧＢのみによって目標の白を実現できるようにＲＧＢの白側リファレンス輝度が設定されているとともに、ＲＧＢ入力信号の全てが最大値であるときに目標の白を実現するためのＲＧＢＷ信号値と、ＲＧＢ信号によってＸの色度および最大輝度を実現するためのＲＧＢ信号値とが設定されている自発光型ディスプレイの信号処理回路において、
ＲＧＢ入力信号をＲＧＢＷＸ信号に変換するＲＧＢ−ＲＧＢＷＸ信号変換手段を備えており、
ＲＧＢ−ＲＧＢＷＸ信号変換手段は、
ＲＧＢ入力信号のうちの最小値を、ＲＧＢの各入力信号から減算する第１手段、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２手段、
上記第２手段によって算出されたＲＧＢＷ信号に対して、第１手段によって算出されたＲＧＢ毎の減算結果を対応する信号に加算することにより、第１のＲ信号、第１のＧ信号、第１のＢ信号およびＷ信号を求める第３手段、
ＲＧＢ信号によってＸの色度および最大輝度を実現するためのＲＧＢ信号値に基づいて、第３手段によって得られた第１のＲ信号、第１のＧ信号および第１のＢ信号のうちからＸ信号に変換され得るＲＧＢ信号成分であって、第１のＲ信号、第１のＧ信号および第１のＢ信号からＸ信号に変換され得るＲＧＢ信号成分を減算した場合に、ＲＧＢの減算結果のうちの少なくとも１つが０となるようなＲＧＢ信号成分を算出する第４手段、
第１のＲ信号、第１のＧ信号および第１のＢ信号から第１手段によって算出されたＲＧＢ信号成分を減算することにより、第２のＲ信号、第２のＧ信号および第２のＢ信号を算出する第５手段、
第４手段によって算出されたＲＧＢ信号成分に相当するＸ信号を算出する第６手段、ならびに
第３手段によって得られたＷ信号、第５手段によって得られた第２のＲ信号、第２のＧ信号および第２のＢ信号ならびに第６手段によって得られたＸ信号を、上記ＲＧＢ入力信号に対応するＲＧＢＷＸ信号として出力する第７手段、
を備えていることを特徴とする。
【０００６】
請求項２に記載の発明は、ＸをＲＧＢＷ以外の任意の色として、１画素がＲＧＢＷＸの５つの単位画素から構成されており、ＲＧＢＸ単位画素には色フィルタが設けられ、Ｗ単位画素には色フィルタが設けられていない自発光型ディスプレイの信号処理回路において、
予めガンマ補正がかけられているＲＧＢ入力信号に対して逆ガンマ補正を行うことにより、ＲＧＢ入力信号をガンマ補正前のＲＧＢ信号に変換する逆ガンマ補正手段、逆ガンマ補正手段によって得られたＲＧＢ信号をＲＧＢ入力信号とし、ＲＧＢ入力信号をＲＧＢＷＸ信号に変換するＲＧＢ−ＲＧＢＷＸ信号変換手段、およびＲＧＢ−ＲＧＢＷＸ信号変換手段によって得られたＲＧＢＷＸ信号に対して、自発光型ディスプレイに対応したガンマ補正を行うガンマ補正手段を備えており、
逆ガンマ補正手段によって得られたＲＧＢ信号が全て同じ値であるときに、ＲＧＢのみによって目標の白を実現できるようにＲＧＢの白側リファレンス輝度が設定されているとともに、逆ガンマ補正手段によって得られたＲＧＢ信号の全てが最大値であるときに目標の白を実現するためのＲＧＢＷ信号値と、逆ガンマ補正手段によって得られたＲＧＢ信号によってＸの色度および最大輝度を実現するためのＲＧＢ信号値とが設定されており、
ＲＧＢ−ＲＧＢＷＸ信号変換手段は、
ＲＧＢ入力信号のうちの最小値を、ＲＧＢの各入力信号から減算する第１手段、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２手段、
上記第２手段によって算出されたＲＧＢＷ信号に対して、第１手段によって算出されたＲＧＢ毎の減算結果を対応する信号に加算することにより、第１のＲ信号、第１のＧ信号、第１のＢ信号およびＷ信号を求める第３手段、
ＲＧＢ信号によってＸの色度および最大輝度を実現するためのＲＧＢ信号値に基づいて、第３手段によって得られた第１のＲ信号、第１のＧ信号および第１のＢ信号のうちからＸ信号に変換され得るＲＧＢ信号成分であって、第１のＲ信号、第１のＧ信号および第１のＢ信号からＸ信号に変換され得るＲＧＢ信号成分を減算した場合に、ＲＧＢの減算結果のうちの少なくとも１つが０となるようなＲＧＢ信号成分を算出する第４手段、
第１のＲ信号、第１のＧ信号および第１のＢ信号から第１手段によって算出されたＲＧＢ信号成分を減算することにより、第２のＲ信号、第２のＧ信号および第２のＢ信号を算出する第５手段、
第４手段によって算出されたＲＧＢ信号成分に相当するＸ信号を算出する第６手段、ならびに
第３手段によって得られたＷ信号、第５手段によって得られた第２のＲ信号、第２のＧ信号および第２のＢ信号ならびに第６手段によって得られたＸ信号を、上記ＲＧＢ入力信号に対応するＲＧＢＷＸ信号として出力する第７手段、
を備えていることを特徴とする。
【０００７】
請求項３に記載の発明は、ＸをＲＧＢＷ以外の任意の色として、１画素がＲＧＢＷＸの５つの単位画素から構成されており、ＲＧＢＸ単位画素には色フィルタが設けられ、Ｗ単位画素には色フィルタが設けられていない自発光型ディスプレイの信号処理方法であって、ＲＧＢ入力信号が全て同じ値であるときに、ＲＧＢのみによって目標の白を実現できるようにＲＧＢの白側リファレンス輝度が設定されているとともに、ＲＧＢ入力信号の全てが最大値であるときに目標の白を実現するためのＲＧＢＷ信号値と、ＲＧＢ信号によってＸの色度および最大輝度を実現するためのＲＧＢ信号値とが設定されている自発光型ディスプレイの信号処理方法において、
ＲＧＢ入力信号をＲＧＢＷＸ信号に変換するＲＧＢ−ＲＧＢＷＸ信号変換ステップを備えており、
ＲＧＢ−ＲＧＢＷＸ信号変換ステップは、
ＲＧＢ入力信号のうちの最小値を、ＲＧＢの各入力信号から減算する第１ステップ、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２ステップ、
上記第２ステップによって算出されたＲＧＢＷ信号に対して、第１ステップによって算出されたＲＧＢ毎の減算結果を対応する信号に加算することにより、第１のＲ信号、第１のＧ信号、第１のＢ信号およびＷ信号を求める第３ステップ、
ＲＧＢ信号によってＸの色度および最大輝度を実現するためのＲＧＢ信号値に基づいて、第３ステップによって得られた第１のＲ信号、第１のＧ信号および第１のＢ信号のうちからＸ信号に変換され得るＲＧＢ信号成分であって、第１のＲ信号、第１のＧ信号および第１のＢ信号からＸ信号に変換され得るＲＧＢ信号成分を減算した場合に、ＲＧＢの減算結果のうちの少なくとも１つが０となるようなＲＧＢ信号成分を算出する第４ステップ、  第１のＲ信号、第１のＧ信号および第１のＢ信号から第１ステップによって算出されたＲＧＢ信号成分を減算することにより、第２のＲ信号、第２のＧ信号および第２のＢ信号を算出する第５ステップ、
第４ステップによって算出されたＲＧＢ信号成分に相当するＸ信号を算出する第６ステップ、ならびに
第３ステップによって得られたＷ信号、第５ステップによって得られた第２のＲ信号、第２のＧ信号および第２のＢ信号ならびに第６ステップによって得られたＸ信号を、上記ＲＧＢ入力信号に対応するＲＧＢＷＸ信号として出力する第７ステップ、
を備えていることを特徴とする。
【０００８】
請求項４に記載の発明は、ＸをＲＧＢＷ以外の任意の色として、１画素がＲＧＢＷＸの５つの単位画素から構成されており、ＲＧＢＸ単位画素には色フィルタが設けられ、Ｗ単位画素には色フィルタが設けられていない自発光型ディスプレイの信号処理方法において、
予めガンマ補正がかけられているＲＧＢ入力信号に対して逆ガンマ補正を行うことにより、ＲＧＢ入力信号をガンマ補正前のＲＧＢ信号に変換する逆ガンマ補正ステップ、逆ガンマ補正ステップによって得られたＲＧＢ信号をＲＧＢ入力信号とし、ＲＧＢ入力信号をＲＧＢＷＸ信号に変換するＲＧＢ−ＲＧＢＷＸ信号変換ステップ、およびＲＧＢ−ＲＧＢＷＸ信号変換ステップによって得られたＲＧＢＷＸ信号に対して、自発光型ディスプレイに対応したガンマ補正を行うガンマ補正ステップを備えており、
逆ガンマ補正ステップによって得られたＲＧＢ信号が全て同じ値であるときに、ＲＧＢのみによって目標の白を実現できるようにＲＧＢの白側リファレンス輝度が設定されているとともに、逆ガンマ補正ステップによって得られたＲＧＢ信号の全てが最大値であるときに目標の白を実現するためのＲＧＢＷ信号値と、逆ガンマ補正ステップによって得られたＲＧＢ信号によってＸの色度および最大輝度を実現するためのＲＧＢ信号値とが設定されており、
ＲＧＢ−ＲＧＢＷＸ信号変換ステップは、
ＲＧＢ入力信号のうちの最小値を、ＲＧＢの各入力信号から減算する第１ステップ、
ＲＧＢ入力信号の全てが最大値であるときに目標の白を実現するためのＲＧＢＷ信号値に基づいて、ＲＧＢ入力信号の全てが上記最小値である場合に対応するＲＧＢＷ信号を算出する第２ステップ、
上記第２ステップによって算出されたＲＧＢＷ信号に対して、第１ステップによって算出されたＲＧＢ毎の減算結果を対応する信号に加算することにより、第１のＲ信号、第１のＧ信号、第１のＢ信号およびＷ信号を求める第３ステップ、
ＲＧＢ信号によってＸの色度および最大輝度を実現するためのＲＧＢ信号値に基づいて、第３ステップによって得られた第１のＲ信号、第１のＧ信号および第１のＢ信号のうちからＸ信号に変換され得るＲＧＢ信号成分であって、第１のＲ信号、第１のＧ信号および第１のＢ信号からＸ信号に変換され得るＲＧＢ信号成分を減算した場合に、ＲＧＢの減算結果のうちの少なくとも１つが０となるようなＲＧＢ信号成分を算出する第４ステップ、  第１のＲ信号、第１のＧ信号および第１のＢ信号から第１ステップによって算出されたＲＧＢ信号成分を減算することにより、第２のＲ信号、第２のＧ信号および第２のＢ信号を算出する第５ステップ、
第４ステップによって算出されたＲＧＢ信号成分に相当するＸ信号を算出する第６ステップ、ならびに
第３ステップによって得られたＷ信号、第５ステップによって得られた第２のＲ信号、第２のＧ信号および第２のＢ信号ならびに第６ステップによって得られたＸ信号を、上記ＲＧＢ入力信号に対応するＲＧＢＷＸ信号として出力する第７ステップ、
を備えていることを特徴とする。
【発明の効果】
【０００９】
この発明によれば、ＸをＲＧＢ以外の任意の色として、１画素がＲＧＢＷＸの５つの単位画素から構成されている自発光型ディスプレイの信号処理回路および信号処理方法であって、ＲＧＢ信号をＲＧＢＷＸ信号に変換することができ、光利用効率の向上化が図れるようになる。
【発明を実施するための最良の形態】
【００１０】
以下、図面を参照して、この発明の実施例について説明する。
【実施例１】
【００１１】
〔１〕表示装置の構成の説明
図１は、表示装置の構成を示している。
有機ＥＬディスプレイ２５としては、白発光材料にカラーフィルタが張りつけられているものが用いられている。この有機ＥＬディスプレイ２５では、図２に示すように、１画素を５つの単位画素で構成し、そのうちの３つの単位画素に３原色、たとえば、Ｒ（赤），Ｇ（緑），Ｂ（青）を表示するためのカラーフィルタが配置されている。残りの２つの単位画素のうちの１つの単位画素は、カラーフィルタが配置されてない白（Ｗ）表示専用の単位画素となっている。残りの１つの単位画素には、ＲＧＢＷ以外の任意の色、この例では、Ｙｅ（黄色）を表示するためのカラーフィルタが配置されている。
【００１２】
このようなＲＧＢＷＸ配列では、白表示専用の単位画素は、カラーフィルタが存在していないため、光の利用効率（発光効率）は非常に高い。したがって、例えば、白１００％を表示するときには、ＲＧＢ表示用の単位画素を発光させて白１００％を表示するのではなく、白表示専用の単位画素を発光させて白１００％を表示させれば、大幅な低消費電力化が図れる。しかしながら、実際には、白発光材料によって得られる白の色度は、目標とする白の色度となっていない場合が多く、白表示専用の単位画素の白発光に対して、ＲＧＢ表示用の単位画素の発光を付加する必要がある。なお、黄色表示用の単位画素の発光効率は、白表示用の単位画素の次に高いものとする。
【００１３】
表示装置に入力されるデジタルのＲＧＢ入力信号には、予めガンマ補正がかけられているものとする。逆ガンマ補正回路２１には、予めガンマ補正がかけられているデジタルのＲＧＢ入力信号が入力される。逆ガンマ補正回路２１は、ＲＧＢ入力信号に対して逆ガンマ補正を行うことにより、ＲＧＢ入力信号をガンマ補正前のＲＧＢ信号に変換する。
【００１４】
逆ガンマ補正回路２１によって得られたＲＧＢ信号は、ＲＧＢ−ＲＧＢＷＹｅ信号変換回路２２に送られる。ＲＧＢ−ＲＧＢＷＹｅ信号変換回路２２は、ＲＧＢ入力信号をＲＧＢＷＹｅ信号に変換する。ＲＧＢ−ＲＧＢＷＹｅ信号変換回路２２によって得られたＲＧＢＷＹｅ信号は、ガンマ補正回路２３に送られる。
【００１５】
ガンマ補正回路２３は、入力されたＲＧＢＷＹｅ信号に対して有機ＥＬディスプレイ２５のパネル特性に応じたガンマ補正を行う。ガンマ補正回路２３によって得られたＲＧＢＷＹｅ信号は、Ｄ／Ａ変換回路２４によってアナログのＲＧＢＷＹｅ信号に変換される。Ｄ／Ａ変換回路２４によって得られたＲＧＢＷＹｅ信号は、１画素がＲＧＢＷＹｅの４つの単位画素で構成された有機ＥＬディスプレイ２５に送られる。
【００１６】
〔２〕リファレンス調整についての説明
リファレンス調整には、ＲＧＢＷの白側リファレンス調整と、Ｙｅの白側リファレンス調整とがある。
【００１７】
図３は、ＲＧＢＷの白側リファレンス調整処理手順を示している。
【００１８】
目標の白Ｗt の輝度ＬWtおよび色度座標（ｘWt，ｙWt  ）を設定する（ステップＳ１）。
【００１９】
次に、有機ＥＬディスプレイ３のＲＧＢＷの色度を測定する（ステップＳ２）。例えば、Ｒの色度を測定する場合には、有機ＥＬディスプレイ３のＲ表示用の単位画素のみを発光させて、その色度を光学測定器によって測定する。測定されたＲＧＢＷの色度座標を、それぞれ（ｘR ，ｙR ），（ｘG ，ｙG ），（ｘB ，ｙB ），（ｘW ，ｙW ）とする。
【００２０】
次に、ＲＧＢによるホワイトバランス（ＷＢ）調整時のＲＧＢの輝度値を算出する（ステップＳ３）。つまり、ＲＧＢの３色によって、目標の白Ｗt の輝度ＬWtおよび色度（ｘWt，ｙWt  ）を表現する際のＲＧＢの輝度値ＬWR1 ，ＬWG1 ，ＬWB1 を算出する。この輝度値ＬWR1 ，ＬWG1 ，ＬWB1 は、次式（１）から求められる。
【００２１】
【数１】
2006163069.tif 000003
【００２２】
ただし、ｚR ＝１−ｘR −ｙR 、ｚG ＝１−ｘG −ｙG 、ｚB ＝１−ｘB −ｙB 、ｚWt＝１−ｘWt−ｙWtである。
【００２３】
次に、ＲＧＢＷによるホワイトバランス（ＷＢ）調整時のＲＧＢＷの輝度値を算出する（ステップＳ４）。つまり、ＲＧＢＷの４色によって、目標の白Ｗt の輝度ＬWtおよび色度（ｘWt，ｙWt  ）を表現する際のＲＧＢＷの輝度値ＬWR2 ，ＬWG2 ，ＬWB2 ，ＬW2を算出する。
【００２４】
ＲＧＢＷの色度座標（ｘR ，ｙR ），（ｘG ，ｙG ），（ｘB ，ｙB ），（ｘW ，ｙW ）と、目標の白Ｗt の色度座標（ｘWt，ｙWt  ）とが、図４に示すような関係にあるとすると、目標の白Ｗt の色度を、ＲＢＷの３色のみによって表現することが可能である。ＲＢＷの３色によって、目標の白Ｗt の輝度ＬWtおよび色度（ｘWt，ｙWt  ）を表現する際のＲＢＷの輝度値ＬWR2 ，ＬWB2 ，ＬW2は、次式（２）から求められる。この場合、Ｇの輝度値ＬWG2 は、０となる。
【００２５】
【数２】
2006163069.tif 000004
【００２６】
ただし、ｚR ＝１−ｘR −ｙR 、ｚW ＝１−ｘW −ｙW 、ｚB ＝１−ｘB −ｙB 、ｚWt＝１−ｘWt−ｙWtである。
【００２７】
次に、上記ステップＳ３の算出結果を用いて、ＲＧＢＷの白側リファレンス輝度を調整する（ステップＳ５）。
【００２８】
以下の説明においては、ＲＧＢ入力信号とは、逆ガンマ補正回路２１によって得られたＲＧＢ信号、つまり、ＲＧＢ−ＲＧＢＷＹｅ信号変換回路２２に入力されるＲＧＢ信号のことを意味する。ＲＧＢ入力信号値が８ビットで表される場合、ＲＧＢの白側リファレンス輝度は、ＲＧＢ信号として（２５５，２５５，２５５）がＲＧＢ−ＲＧＢＷＹｅ信号変換回路２２に入力されたときに、発光輝度および発光色が目標の白Ｗt の輝度ＬWtおよび色度（ｘWt，ｙWt  ）となるように調整される。つまり、ＲＧＢ信号として（２５５，２５５，２５５）がＲＧＢ−ＲＧＢＷＹｅ信号変換回路２２に入力されたときに、ＲＧＢの輝度がそれぞれ上記ステップＳ３で算出した輝度値ＬWR1 ，ＬWG1 ，ＬWB1 となるように、ＲＧＢの白側リファレンス輝度が調整される。このようにＲＧＢの白側リファレンス輝度が調整されると、ＲＧＢ入力信号が同値の場合、発光色は必ず目標の白の色度となる。また、Ｗの白側リファレンス輝度は、Ｗのみ表示したときに目標輝度（図３のステップＳ４で決定されたＷの輝度値ＬW2）となるように調整される。
【００２９】
また、ＲＧＢ入力信号値が全て２５５の場合の目標白Ｗt （２５５）を実現するためのＲＧＢＷ信号値を算出する（ステップＳ６）。ＲＧＢ入力信号値が全て２５５の場合の目標白Ｗt （２５５）を実現するためのＲＧＢＷ信号値を（ＲW ，ＧW ，ＢW ，ＷW ）とする。上記ステップＳ３で算出された、目標白の輝度および色度を実現するためのＲＧＢ輝度値をＬWR1 ，ＬWG1 ，ＬWB1 、上記ステップＳ４で算出された、目標白の輝度および色度を実現するためのＲＧＢＷ輝度値をＬWR2 ，ＬWG2 ，ＬWB2 ，ＬW2とすると、ＲＧＢ入力信号値が全て２５５の場合の目標白を実現するためのＲＧＢＷ信号値は、次式（３）に基づいて算出される。
【００３０】
ＲW ＝２５５×ＬWR2 ／ＬWR1 
ＧW ＝２５５×ＬWG2 ／ＬWG1 
ＢW ＝２５５×ＬWB2 ／ＬWB1 
ＷW ＝２５５                      …（３）
【００３１】
図５は、Ｙｅのリファレンス調整処理手順を示している。
【００３２】
有機ＥＬディスプレイ２５のＹｅの色度を測定する（ステップＳ１１）。つまり、有機ＥＬディスプレイ２４のＹｅ表示用の単位画素のみを発光させて、その色度を光学測定器によって測定する。測定されたＹｅの色度座標を、（ｘye，ｙye）とする。図６に、ＲＧＢの色度座標、目標の白Ｗt の色度座標およびＹｅの色度座標を示す。
【００３３】
次に、ＲＧＢによるＹｅ調整時のＲＧＢの輝度比を算出する（ステップＳ１２）。つまり、ＲＧＢの３色によって、Ｙｅの色度（ｘye，ｙye）を表現する際のＲＧＢの輝度比ＬyeR ，ＬyeG ，ＬyeB を算出する。この輝度比ＬyeR ，ＬyeG ，ＬyeB は、次式（４）から求められる。
【００３４】
【数３】
2006163069.tif 000005
【００３５】
ただし、ｚR ＝１−ｘR −ｙR 、ｚG ＝１−ｘG −ｙG 、ｚB ＝１−ｘB −ｙB 、ｚye＝１−ｘye−ｙyeである。
【００３６】
次に、図３のステップＳ３で求められたＲＧＢによるホワイトバランス（ＷＢ）調整時のＲＧＢの輝度値ＬWR1 ，ＬWG1 ，ＬWB1 と、上記ステップＳ１２で求められたＲＧＢによるＹｅ調整時のＲＧＢの輝度比ＬyeR ，ＬyeG ，ＬyeB とに基づいて、Ｙｅの色度および最大輝度を表現するときのＲＧＢ輝度を算出するとともに、Ｙｅの色度および最大輝度を実現するためのＲＧＢの信号値（Ｙｅ（２５５）を実現するためのＲＧＢ信号値）を求める（ステップＳ１３）。
【００３７】
つまり、目標白（Ｗt ）を表現するときに決定したＲＧＢの輝度範囲内において、Ｙｅ（２５５）を表現するためのＲＧＢ輝度ＬyeR ’，ＬyeG ’，ＬyeB ’を算出する。
【００３８】
ＬWR1 ／ＬyeR 、ＬWG1 ／ＬyeG およびＬWB1 ／ＬyeB を算出し、そのうちの最小値をＬyeR ，ＬyeG ，ＬyeB に乗算することによって、Ｙｅ（２５５）を表現するためのＲＧＢ輝度ＬyeR ’，ＬyeG ’，ＬyeB ’が得られる。
【００３９】
例えば、ホワイトバランス（ＷＢ）調整時のＲＧＢの輝度ＬWR1 ，ＬWG1 ，ＬWB1 が３０[cd]：６０[cd]: １０[cd]であり、Ｙｅ調整時のＲＧＢの輝度比ＬyeR ，ＬyeG ，ＬyeB が０．２５：０．６：０．０５であるとすると、ＬWR1 ／ＬyeR ＝１２０、ＬWG1 ／ＬyeG ＝１００、ＬWB1 ／ＬyeB ＝２００となる。最小値は１００であるので、ＬyeR ，ＬyeG ，ＬyeB それぞれに１００を乗算すると、Ｙｅ（２５５）を表現するためのＲＧＢ輝度ＬyeR ’，ＬyeG ’，ＬyeB ’は２５[cd]、６０[cd]、５[cd]となる。
【００４０】
Ｙｅ（２５５）を表現するためのＲＧＢ輝度を（ＬyeR ’，ＬyeG ’，ＬyeB ’）とし、ホワイトバランス（ＷＢ）調整時のＲＧＢの輝度値を（ＬWR1 ，ＬWG1 ，ＬWB1 ）とすると、Ｙｅ（２５５）を実現するためのＲＧＢの信号値（Ｒye，Ｇye，Ｂye）は、Ｒye＝２５５×ＬyeR ’／ＬWR1 ，Ｇye＝２５５×ＬyeG ’／ＬWG1 ，Ｂye＝２５５×ＬyeB ’／ＬWB1 となる。
【００４１】
上記の例では、Ｒye＝２５５×２５／３０＝２１３、Ｇye＝２５５×６０／６０＝２５５、Ｂye＝２５５×５／１０＝１２８となる。
【００４２】
次に、上記ステップＳ１３で求められたＹｅ（２５５）を表現するためのＲＧＢ輝度値ＬyeR ’，ＬyeG ’，ＬyeB ’に基づいて、Ｙｅの白側リファレンスを調整する（ステップＳ１４）。Ｙｅの白側リファレンス電圧（Ｙｅ＝２５５に対応するＤ／Ａ変換器２４の出力電圧）は、Ｙｅのみ表示したときに、その輝度が、Ｙｅの色度および最大輝度を表現するためのＲＧＢ輝度の合計値（ＬyeR ’＋ＬyeG ’＋ＬyeB ’）となるように調整される。
【００４３】
〔３〕ＲＧＢ−ＲＧＢＷＹｅ信号変換回路２２についての説明
図７は、ＲＧＢ−ＲＧＢＷＹｅ信号変換回路２２の機能的構成を示している。
【００４４】
ＲＧＢ−ＲＧＢＷＹｅ信号変換回路２２は、逆ガンマ補正回路２１によって得られたＲＧＢ信号をＲＧＢＷ信号に変換するＲＧＢ−ＲＧＢＷ信号変換手段３１と、ＲＧＢ−ＲＧＢＷ信号変換手段３１によって得られたＲＧＢＷ信号のうちのＲＧＢ信号をＲＧＢＹｅ信号に変換するＲＧＢ−ＲＧＢＹｅ信号変換手段３２とを備えている。
【００４５】
〔４〕ＲＧＢ−ＲＧＢＷ信号変換手段３１についての説明
〔４−１〕ＲＧＢ−ＲＧＢＷ信号変換の基本的な考え方についての説明
以下の説明においては、逆ガンマ補正回路２１によって得られたＲＧＢ信号（ガンマ補正がかけられていないＲＧＢ信号）をＲＧＢ入力信号ということにする。
【００４６】
この例では、ＲＧＢ入力信号値は、８ビットで表され、図８に示すように、Ｒ＝２００，Ｇ＝１７０，Ｂ＝１００であるとする。ＲＧＢ入力信号値の最小値は１００であるので、ＲＧＢ入力信号値を、図９に示すように、それらの最小値（ｍｉｎ（ＲＧＢ））と、図１０に示すように、残りの値（入力信号−ｍｉｎ（ＲＧＢ））とに分解する。図９の場合、ＲＧＢ入力信号値が全て１００の場合の目標の白Ｗt （１００）と等価となっている。      
【００４７】
ＲＧＢ入力信号値が全て２５５の場合の目標の白Ｗt （２５５）を表現するためのＲＧＢＷの信号値が図１１に示すような信号値（７７，０，２０４，２５５）であるとすると、ＲＧＢ入力信号値が全て１００の場合の目標の白Ｗt （１００）を実現するためのＲＧＢＷの信号値は図１２に示すようになる。図１１に示すような信号値については、図３の上記ステップＳ６によって求められている。
【００４８】
図１２のＲ，Ｇ，Ｂ，Ｗは、次式（５）によって求められる。
【００４９】
Ｒ＝７７×１００／２５５＝３０
Ｇ＝０×１００／２５５＝０
Ｂ＝２０４×１００／２５５＝８０
Ｗ＝２５５×１００／２５５＝１００        …（５）
【００５０】
そこで、図９のＲＧＢ値を、図１２のＲＧＢＷ値と置き換える。したがって、図８に示すＲＧＢ値は、図１０のＲＧＢ値と図１２のＲＧＢＷ値とを加算することにより、図１３に示すＲＧＢＷ値に変換される。
【００５１】
図１３のＲ，Ｇ，Ｂ，Ｗは、次式（６）によって求められる。
【００５２】
Ｒ＝１００＋３０＝３０
Ｇ＝７０＋０＝７０
Ｂ＝０＋８０＝８０
Ｗ＝０＋１００＝１００      …（６）
【００５３】
〔４−２〕ＲＧＢ−ＲＧＢＷ信号変換処理についての説明
【００５４】
図１４は、ＲＧＢ入力信号をＲＧＢＷ信号に変換するための信号変換処理の手順を示している。
【００５５】
まず、ＲＧＢ入力信号中の最小値（ｍｉｎ（ＲＧＢ））を決定する（ステップＳ２１）。ＲＧＢ入力信号が図８に示すような信号値である場合には、ｍｉｎ（ＲＧＢ）＝１００となる。
【００５６】
次に、各ＲＧＢ入力信号からｍｉｎ（ＲＧＢ）を減算する（ステップＳ２２）。図８の例では、図１０に示すように、ＲＧＢに対する減算結果は、それぞれ１００，７０，０となる。
【００５７】
次に、ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ２３）。目標白Ｗt （２５５）を実現するためのＲＧＢＷ信号値が、図１１で示すような信号値であるとすると、図８の例では、ｍｉｎ（ＲＧＢ）に対応するＲＧＢＷ信号の信号値は図１２に示すようなる。
【００５８】
次に、上記ステップＳ２２で算出した減算値｛ＲＧＢ−ｍｉｎ（ＲＧＢ）｝に上記ステップＳ２３で求められたＲＧＢＷ信号の信号値を加算することにより、ＲＧＢ入力信号に対応するＲＧＢＷ信号を算出する（ステップＳ２４）。図８の例では、ＲＧＢ入力信号に対応するＲＧＢＷ信号は図１３に示すようになる。
【００５９】
ＲＧＢ−ＲＧＢＷ変換手段３１によって得られたＲＧＢＷ信号のうち、ＲＧＢ信号はＲＧＢ−ＲＧＢＹｅ信号変換手段３２に送られる。ＲＧＢ−ＲＧＢＷ変換手段３１によって得られたＲＧＢＷ信号のうち、Ｗ信号は、ＲＧＢ−ＲＧＢＷＹｅ変換回路２２のＷ出力信号となる。
【００６０】
〔５〕ＲＧＢ−ＲＧＢＹｅ信号変換手段３２についての説明
図１５は、ＲＧＢ−ＲＧＢＹｅ信号変換手段３２によるＲＧＢ−ＲＧＢＹｅ信号変換処理手順を示している。
【００６１】
ここでは、ＲＧＢ−ＲＧＢＹｅ信号変換手段３２に入力されるＲＧＢ信号をＲＧＢ入力信号と呼ぶことにする。
【００６２】
まず、ＲＧＢ入力信号の中に信号値が０のものが存在するか否かを判別する（ステップＳ５１）。ＲＧＢ入力信号の中に信号値が０のものが存在する場合には、ＲＧＢ入力信号値をＲＧＢの出力信号値とするとともに、Ｙｅの出力信号値を０とする（ステップＳ５２）。
【００６３】
ＲＧＢ入力信号の中に信号値が０のものが存在しない場合には、ＲＧＢ入力信号のうちからＹｅ信号に変換され得るＲＧＢ信号成分であって、ＲＧＢ入力信号からＹｅ信号に変換されるＲＧＢ信号成分を減算した場合に、ＲＧＢの減算結果のうちの少なくとも１つが０となるようなＲＧＢ信号成分を算出する（ステップＳ５３）。  
【００６４】
Ｙｅの色度および最大輝度を実現するためのＲＧＢ信号値をＲye，Ｇye，Ｂyeとすると、Ｙｅ信号に変換されるＲＧＢ信号成分は、α（Ｒye，Ｇye，Ｂye）で表される。Ｙｅの色度および最大輝度を実現するためのＲＧＢ信号値は、図５のステップＳ１３で求められている。したがって、まず、ＲＧＢ入力信号からα（Ｒye，Ｇye，Ｂye）を減算した場合に、ＲＧＢの減算結果のうちの少なくとも１つが０となるようなαを求める。具体的には、ＲＧＢ入力信号をＲ、Ｇ、Ｂで表すと、Ｒ／Ｒye、Ｇ／Ｇye、Ｂ／Ｂyeを算出し、その最小値をαとする。そして、α（Ｒye，Ｇye，Ｂye）を算出する。
【００６５】
例えば、ＲＧＢ−ＲＧＢＷ変換手段３１によって得られたＲＧＢＷ信号が図１３である場合を想定する。この場合、ＲＧＢ入力信号はＲ＝１３０、Ｇ＝７０、Ｂ＝８０となる。Ｙｅの色度および最大輝度を実現するためのＲＧＢの最大信号値（Ｒye，Ｇye，Ｂye）がＲye＝２１３、Ｇye＝２５５、Ｂye＝１２８とすると、ＲＧＢ入力信号はＲ＝１３０、Ｇ＝７０、Ｂ＝８０であるので、Ｒ／Ｒye＝１３０／２１３＝０．６１、Ｇ／Ｇye＝７０／２５５＝０．２７、Ｂ／Ｂye＝８０／１２８＝０．６３であるので、その最小値は０．２７となる。そこで、α＝０．２７とすると、αＲye＝５８、αＧye＝７０、αＢye＝３５となる。つまり、Ｙｅ信号に変換されるＲＧＢ信号成分α（Ｒye，Ｇye，Ｂye）は、図１６に示すようになる。
【００６６】
次に、ＲＧＢ入力信号から、Ｙｅ信号に変換されるＲＧＢ信号成分α（Ｒye，Ｇye，Ｂye）を減算する（ステップＳ５４）。
【００６７】
上記の例では、Ｒの減算結果は７２（＝１３０−５８）、Ｇの減算結果は０（＝７０−７０）、Ｂの減算結果は４５（＝８０−３５）となる。
【００６８】
そして、上記ステップＳ５４で算出されたＲＧＢそれぞれの減算結果をＲＧＢ出力信号値とする（ステップＳ５５）。
【００６９】
また、２５５×αをＹｅ出力信号値とする（ステップＳ５６）。上記の例では、Ｙｅ信号は、７０（＝０．２７×２５５）となる。つまり、上記の例では、ＲＧＢＹｅ出力信号は、図１７に示すようになる。
【００７０】
したがって、最終的なＲＧＢＷＹｅ出力信号は、図１８に示すようになる。
【図面の簡単な説明】
【００７１】
【図１】表示装置の構成を示すブロック図である。
【図２】１画素がＲ，Ｇ，Ｂ，Ｗ，Ｙｅの５つの単位で構成されている例を示す模式図である。
【図３】ＲＧＢＷの白側リファレンス調整処理手順を示すフローチャートである。
【図４】ＲＧＢの色度座標および目標の白Ｗt の色度座標を示す模式図である。
【図５】Ｙｅのリファレンス調整処理手順を示すフローチャートである。
【図６】ＲＧＢの色度座標、目標の白Ｗt の色度座標およびＹｅの色度座標を示す模式図である。
【図７】ＲＧＢ−ＲＧＢＷＹｅ変換回路の構成を示す機能ブロック図である。
【図８】ＲＧＢ入力信号の一例を示す模式図である。
【図９】ｍｉｎ（ＲＧＢ）を示す模式図である。
【図１０】入力信号−ｍｉｎ（ＲＧＢ）を示す模式図である。
【図１１】Ｗt （２５５）を表現するためのＲＧＢＷの信号値を示す模式図である。
【図１２】Ｗt （１００）を実現するためのＲＧＢＷの信号値を示す模式図である。
【図１３】図９のＲＧＢ値と図１２のＲＧＢＷ値とを加算することにより、求められたＲＧＢＷ値を示す模式図である。
【図１４】ＲＧＢ入力信号をＲＧＢＷ信号に変換するための信号変換処理の手順を示すフローチャートである。
【図１５】ＲＧＢ−ＲＧＢＹｅ信号変換手段３２によるＲＧＢ−ＲＧＢＹｅ信号変換処理手順を示すフローチャートである。
【図１６】ＲＧＢ入力信号が図１３に示すような信号である場合に、Ｙｅ信号に変換されるＲＧＢ信号成分α（Ｒye，Ｇye，Ｂye）を示す模式図である。
【図１７】ＲＧＢ入力信号が図１３に示すような信号である場合に、ＲＧＢ−ＲＧＢＹｅ信号変換手段３２によって得られるＲＧＢＹｅ信号を示す模式図である。
【図１８】ＲＧＢ−ＲＧＢＷＹｅ変換回路２２へのＲＧＢ入力信号が、図８に示すような信号である場合に、ＲＧＢ−ＲＧＢＷＹｅ変換回路２２によって得られるＲＧＢＷＹｅ信号を示す模式図である。
【符号の説明】
【００７２】
２１  逆ガンマ補正回路
２２  ＲＧＢ−ＲＧＢＷＹｅ信号変換回路
２３  ガンマ補正回路
２４  Ｄ／Ａ変換回路
２５  有機ＥＬディスプレイ
３１  ＲＧＢ−ＲＧＢＷ信号変換手段
３２  ＲＧＢ−ＲＧＢＹｅ信号変換手段
【図１】
2006163069.tif 000006
【図２】
2006163069.tif 000007
【図３】
2006163069.tif 000008
【図４】
2006163069.tif 000009
【図５】
2006163069.tif 000010
【図６】
2006163069.tif 000011
【図７】
2006163069.tif 000012
【図８】
2006163069.tif 000013
【図９】
2006163069.tif 000014
【図１０】
2006163069.tif 000015
【図１１】
2006163069.tif 000016
【図１２】
2006163069.tif 000017
【図１３】
2006163069.tif 000018
【図１４】
2006163069.tif 000019
【図１５】
2006163069.tif 000020
【図１６】
2006163069.tif 000021
【図１７】
2006163069.tif 000022
【図１８】
2006163069.tif 000023